(57)【特許請求の範囲】
【請求項１】
ユーザごとに設定された動作モードと、前記ユーザの特徴点とが関連付けて記憶された記憶手段と、
前記ユーザを撮像する撮像手段と、
前記撮像手段で撮像されたユーザの特徴点と、前記記憶手段に記憶されている特徴点とを比較し、前記撮像手段で撮像されたユーザが前記記憶手段に記憶されていることを判定する判定手段と、
前記ユーザによる操作内容に応じて、前記動作モードを、前記記憶手段に記憶されていると判定されたユーザに関連付けられた動作モードに設定する設定手段と、
前記撮像手段で撮像されたユーザが前記記憶手段に記憶されていると判定された場合、前記動作モードの変更を確認する確認画像をユーザが１人の場合と複数の場合で異なるように表示し、前記動作モードが、既に前記記憶手段に記憶されていると判定されたユーザに関連付けられた動作モードに設定されている場合は、前記撮像手段で撮像されたユーザが前記記憶手段に記憶されていると判定された場合でも前記確認画像を表示しない表示制御手段と
を備える電子機器。
【請求項２】
前記表示制御手段は、
前記確認画面を、前記動作モードの変更前に表示する請求項１に記載の電子機器。
【請求項３】
前記動作モードは、
音量、画質、明るさ、録画リストの少なくとも一つを含む前記電子機器の環境設定である請求項１又は請求項２いずれかに記載の電子機器。
【請求項４】
前記記憶手段には、
前記ユーザごとに複数の画像が記憶可能である請求項１乃至３いずれか１項に記載の電子機器。
【請求項５】
ユーザを撮像するステップと、
前記撮像されたユーザの特徴点と、ユーザごとに設定された動作モードと前記ユーザの特徴点とが関連付けて記憶された記憶手段の特徴点と比較し、前記撮像されたユーザが前記記憶手段に記憶されていることを判定するステップと、
前記ユーザによる操作内容に応じて、前記動作モードを、前記記憶手段に記憶されていると判定されたユーザに関連付けられた動作モードに設定するステップと、
前記撮像されたユーザが前記記憶手段に記憶されていると判定された場合、前記動作モードの変更を確認する確認画像をユーザが１人の場合と複数の場合で異なるように表示し、前記動作モードが、既に前記記憶手段に記憶されていると判定されたユーザに関連付けられた動作モードに設定されている場合は、前記撮像されたユーザが前記記憶手段に記憶されていると判定された場合でも前記確認画像を表示しないステップと
を有する電子機器の動作方法。
【発明の詳細な説明】
【技術分野】
【０００１】
本発明の実施形態は、電子機器、電子機器の動作方法に関する。
【背景技術】
【０００２】
従来の映像表示装置、例えば、デジタルテレビには、利用者（以下、ユーザ）ごとにカスタマイズされた動作モードの設定（例えば、音量、画質、録画リスト等）を保存し、ユーザがデジタルテレビを視聴する際に、この保存された設定を選択できるように構成したものがある。例えば、特許文献１では、ユーザごとに所望の音圧をユーザの顔を撮像した画像（以下、顔画像と称する）と共に登録し、次回、ユーザがデジタルテレビを視聴する際に、該ユーザの顔画像に関連付けて登録された音圧に設定することが提案されている。
【先行技術文献】
【特許文献】
【０００３】
【特許文献１】特開２００１−２８７４０号公報
【発明の概要】
【発明が解決しようとする課題】
【０００４】
従来の映像表示装置では、ユーザがカスタマイズした動作モードを保存できる機能を有するが、一般的に、この動作モードを使用する際には、煩雑な操作が必要であり、ユーザの利便性を損なっていた。
本実施形態は、簡易な操作でユーザがカスタマイズした動作モードへ移行できる電子機器及び電子機器の動作方法を提供することを目的とする。
【課題を解決するための手段】
【０００５】
本発明の実施形態に係る電子機器は、ユーザごとに設定された動作モードと、前記ユーザの特徴点とが関連付けて記憶された記憶手段と、前記ユーザを撮像する撮像手段と、前記撮像手段で撮像されたユーザの特徴点と、前記記憶手段に記憶されている特徴点とを比較し、前記撮像手段で撮像されたユーザが前記記憶手段に記憶されていることを判定する判定手段と、前記ユーザによる操作内容に応じて、前記動作モードを、前記記憶手段に記憶されていると判定されたユーザに関連付けられた動作モードに設定する設定手段と、前記撮像手段で撮像されたユーザが前記記憶手段に記憶されていると判定された場合、前記動作モードの変更を確認する確認画像をユーザが１人の場合と複数の場合で異なるように表示し、前記動作モードが、既に前記記憶手段に記憶されていると判定されたユーザに関連付けられた動作モードに設定されている場合は、前記撮像手段で撮像されたユーザが前記記憶手段に記憶されていると判定された場合でも前記確認画像を表示しない表示制御手段とを備える。
【図面の簡単な説明】
【０００６】
【図１】実施形態に係る映像表示装置の構成図である。
【図２】実施形態に係る映像表示装置のアカウント作成及び削除時の動作を示すフローチャートである。
【図３】実施形態に係る映像表示装置の顔画像登録時の動作を示すフローチャートである。
【図４】映像表示部に表示される画像の一例を示した図である。
【図５】実施形態に係る映像表示装置の顔画像削除時の動作を示すフローチャートである。
【図６】映像表示部に表示される画像の一例を示した図である。
【図７】実施形態に係る映像表示装置の顔画像認識時の動作を示すフローチャートである。
【図８】映像表示部に表示される画像の一例を示した図である。
【発明を実施するための形態】
【０００７】
以下、図面を参照して、本発明の実施形態を詳細に説明する。
（実施形態）
図１は、実施形態に係る映像表示装置１００の構成図である。ここでは、映像表示装置１００としてデジタルテレビを例に、映像表示装置１００の構成について説明する。なお、初めに、この実施形態に係る映像表示装置１００の概要について説明する。
【０００８】
この実施形態に係る映像表示装置１００は、各ユーザが夫々のユーザアカウント（以下、単にアカウントと称する）を作成し、所望の環境設定を保存することができる。各環境設定には、映像表示装置１００の音量、画質、明るさ等の設定値やユーザが設定したパスワードが含まれる。また、実施形態に係る映像表示装置１００には、予め設定された環境設定も保存されている。ユーザは、カスタマイズした環境設定での動作モード（以下、特別モードと称する）、予め設定された環境設定での動作モード（以下、通常モードと称する）を切り替えて使用することができる。
【０００９】
（映像表示装置１００の構成）
実施形態に係る映像表示装置１００は、チューナ１０１、チューナ１０２、チューナ１０３、ＰＳＫ（Phase Shift Keying）復調器１０４、ＯＦＤＭ（Orthogonal Frequency Division Multiplexing）復調器１０５、アナログ復調器１０６、信号処理部１０７、グラフィック処理部１０８、ＯＳＤ（On Screen Display）信号生成部１０９、音声処理部１１０、スピーカ１１１、映像処理部１１２、映像表示部１１３、制御部１１４（記憶手段、表示制御手段、設定手段、登録手段、削除手段）、操作部１１５（受付手段）、受光部１１６（受付手段）、端子１１７、通信Ｉ／Ｆ（Inter Face）１１８、カメラモジュール１１９（撮像手段、判定手段、測定手段）を備える。
【００１０】
（映像表示装置１００の構成）
チューナ１０１は、制御部１１４からの制御信号により、ＢＳ／ＣＳデジタル放送受信用のアンテナ１で受信した衛星デジタルテレビジョン放送から所望のチャンネルの放送信号を選局し、この選局した放送信号をＰＳＫ復調器１０４に出力する。ＰＳＫ復調器１０４は、制御部１１４からの制御信号により、チューナ１０１から入力される放送信号を復調して信号処理部１０７へ出力する。
【００１１】
チューナ１０２は、制御部１１４からの制御信号により、地上波放送受信用のアンテナ２で受信した地上デジタルテレビジョン放送信号から所望のチャンネルのデジタル放送信号を選局し、この選局したデジタル放送信号をＯＦＤＭ復調器１０５に出力する。ＯＦＤＭ復調器１０５は、制御部１１４からの制御信号により、チューナ１０２から入力されるデジタル放送信号を復調して信号処理部１０７へ出力する。
【００１２】
チューナ１０３は、制御部１１４からの制御信号により、地上波放送受信用のアンテナ２で受信した地上アナログテレビジョン放送信号から所望のチャンネルのアナログ放送信号を選局し、この選局したアナログ放送信号をアナログ復調器１０６に出力する。アナログ復調器１０６は、制御部１１４からの制御信号により、チューナ１０２から入力されるアナログ放送信号を復調して信号処理部１０７へ出力する。
【００１３】
信号処理部１０７は、ＰＳＫ復調器１０４、ＯＦＤＭ復調器１０５及びアナログ復調器１０６から入力される復調後の放送信号から、映像信号及び音声信号を生成する。信号処理部１０７は、映像信号をグラフィック処理部１０８に出力し、音声信号を音声処理部１１０に出力する。
【００１４】
ＯＳＤ信号生成部１０９は、制御部１１４からの制御信号により、ＯＳＤ信号を生成しグラフィック処理部１０８へ出力する。
【００１５】
グラフィック処理部１０８は、信号処理部１０７から出力される映像信号及びＯＳＤ信号生成部２５７で生成されるＯＳＤ信号を映像処理部１１２へ出力する。映像処理部１１２は、入力された映像信号やＯＳＤ信号等を映像表示部１１３で表示可能なフォーマットに変換した後、映像表示部１１３に出力して映像表示させる。
【００１６】
音声処理部１１０は、入力される音声信号をスピーカ１１１で再生可能なフォーマットに変換した後、スピーカ１１１に出力して音声再生させる。
【００１７】
操作部１１５には、映像表示装置１００を操作するための複数の操作キー（例えば、カーソルキー、決定キー、ＢＡＣＫキー、登録キー、カラーキー（赤、緑、黄、青）等）が配列されている。ユーザは、この操作部１１５が有する操作キーを操作して所望の動作、例えば、視聴チャネルの切り替え、ユーザの顔を撮像した画像（以下、顔画像と称する）の登録等を行うことができる。操作部１１５は、操作キーが操作されると、該操作に対応する操作信号を制御部１１４へ出力する。
【００１８】
受光部１１６は、リモートコントローラ３（以下、リモコン３と称する）から送信される赤外線信号を受信する。受光部１１６は、この受信した赤外線信号に応じた操作信号を制御部１１４へ出力する。リモコン３には、複数の操作キー（例えば、カーソルキー、決定キー、ＢＡＣＫキー、登録キー、カラーキー（赤、緑、黄、青）等）が配列されている。ユーザが、操作キーを押し下げすることで所望の操作を行うと、該操作に対応した赤外線信号が発光される。
【００１９】
端子１１７は、外部端末（例えば、ＵＳＢメモリ、ＤＶＤ記憶再生装置、インターネットサーバ、ＰＣ等）を接続するためのＵＳＢ端子、ＬＡＮ端子、ＨＤＭＩ端子、ｉＬＩＮＫ端子などである。
【００２０】
通信Ｉ／Ｆ１１８は、端子１１７に接続された上記外部端末との通信インターフェースであり、制御部１１４と上記外部端末との間で制御信号及びデータ等のフォーマットに変換を行う。
【００２１】
カメラモジュール１１９は、映像表示装置１００前方を撮像するためのカメラ１１９ａと、カメラ１１９ａで撮像した画像からユーザの顔を認識する認識部１１９ｂ、顔を認識できた場合、該画像を各ユーザに固有の識別子（ユーザＩＤ）と対応づけて記憶する不揮発性メモリ１１９ｃを備える。
【００２２】
カメラモジュール１１９は、映像表示装置１００前方を所定の間隔で撮像し、撮像画像にユーザの顔が認識された場合、該画像に含まれる顔の特徴点を不揮発性メモリ１１９ｃに記憶されている顔画像の特徴点と整合し、一致したユーザＩＤを制御部１１４へ出力する。
【００２３】
制御部１１４は、ＲＯＭ（Read Only Memory）１１４ａ、ＲＡＭ（Random Access Memory）１１４ｂ、不揮発性メモリ１１４ｃ、ＣＰＵ１１４ｄ、タイマ１１４ｅを備える。ＲＯＭ１１４ａには、ＣＰＵ１１４ｄが実行する制御プログラムが格納されている。ＲＡＭ１１４ｂは、ＣＰＵ１１４ｄは作業エリアとして機能する。不揮発性メモリ１１４ｃには、各種の設定情報や制御情報等が格納されている。また、タイマ１１４ｅは時間を計測する。
【００２４】
また、不揮発性メモリ１１４ｃには、カメラモジュール１１９で撮像されたユーザの顔画像が記憶されている。また、不揮発性メモリ１１４ｃには、通常モードにおける環境設定と、ユーザがカスタマイズした特別モードにおける環境設定が記憶されている。なお、ユーザの顔画像と、ユーザがカスタマイズした環境設定には、ユーザＩＤが関連付けて記憶されている。つまり、この実施形態の映像表示装置１００では、ユーザごとに所望の環境設定が可能となっている。
【００２５】
制御部１１４は、映像表示装置１００全体を制御する。例えば、制御部１１４は、操作部１１５及び受光部１１６から入力される操作信号に対応する動作を行うように映像表示装置１００全体を制御する。また、カメラモジュール１１９から入力されるユーザＩＤに対応づけられた顔画像を表示するようにＯＳＤ信号生成部１０９へ指示する。なお、制御部１１４の詳細な動作は、図２〜図８を参照して説明する。
【００２６】
（アカウントの作成／削除時の動作）
図２は、アカウントの作成／削除時の映像表示装置１００の動作を示したフローチャートである。以下、図１、図２を参照して、アカウントの作成／削除時の動作について説明する。なお、以下の説明では、ユーザはリモコン３を操作するものとして説明するが、操作部１１５を操作してもよい。
【００２７】
ユーザが、リモコン３を操作して、アカウントの作成／削除モードを選択すると、映像表示装置１００は、アカウントの作成／削除モードに移行する（ステップＳ１０１）。制御部１１４は、ＯＳＤにより、映像表示部１１３へ「新規作成」及び「削除」の欄を表示する。
【００２８】
ユーザは、リモコン３を操作して、「新規作成」又は「削除」を選択する（ステップＳ１０２）。「新規作成」が選択されると、制御部１１４は、新たなアカウントを作成し、新たに生成したユーザＩＤを該アカウントに付与する（ステップＳ１０３）。
【００２９】
次に、制御部１１４は、ＯＳＤにより、映像表示部１１３にユーザ名の入力をうながす画面を表示する。ユーザがリモコン３を操作して、ユーザ名（例えば、Ａ）を入力すると、制御部１１４は、該アカウント名にステップＳ１０３で生成したユーザＩＤを関連付けて不揮発性メモリ１１４ｃへ記憶する。
【００３０】
次に、制御部１１４は、ＯＳＤにより、映像表示部１１３に環境設定画面を表示する（ステップＳ１０５）。環境設定画面には、映像表示装置１００の動作環境を設定するための種々の項目（例えば、映像表示装置１００の音量、画質、明るさ、パスワード等）が表示され、ユーザは、リモコン３を操作して、これらの項目を設定する。制御部１１４は、各項目の設定値にステップＳ１０３で生成したユーザＩＤを関連付けて不揮発性メモリ１１４ｃへ記憶する。
【００３１】
ステップＳ１０２で「削除」が選択された場合（ステップＳ１０２のＮｏ）、制御部１１４は、ＯＳＤにより、現在登録されているアカウント一覧を映像表示部１１３に表示する（ステップＳ１０６）。ユーザは、リモコン３を操作してアカウント一覧から削除したいアカウントを選択する（ステップＳ１０７）。制御部１１４は、ユーザが選択したアカウントを削除する（ステップＳ１０８）。
【００３２】
制御部１１４は、ＯＳＤにより、映像表示部１１３へ「動作終了？」及び「Ｙｅｓ」、「Ｎｏ」の欄を表示する（ステップＳ１０９）。ユーザは、リモコン３を操作して、「Ｙｅｓ」又は「Ｎｏ」を選択する。「Ｙｅｓ」が選択されると（ステップＳ１０９のＹｅｓ）、制御部１１４は、アカウントの作成／削除時の動作を終了する。また、「Ｎｏ」が選択されると（ステップＳ１０９のＮｏ）、制御部１１４は、ステップＳ１０２から動作を継続する。
【００３３】
（顔画像登録時の動作）
図３は、ユーザの顔画像を登録する際の映像表示装置１００の動作を示したフローチャートである。また、図４は、ユーザの顔画像を登録する際に、映像表示部１１３に表示される顔画像の一例を示した図である。以下、図１、図３及び図４を参照して、顔画像登録時の動作について説明する。なお、以下の説明では、ユーザはリモコン３を操作するものとして説明するが、操作部１１５を操作してもよい。
【００３４】
ユーザが、リモコン３を操作して、顔画像登録モードを選択すると、映像表示装置１００は、顔画像登録モードに移行する（ステップＳ２０１）。制御部１１４は、ＯＳＤにより、映像表示部１１３へ、アカウントを選択するための画面（アカウントの一覧を表示する画面）をＯＳＤにより映像表示部１１３へ表示する（ステップＳ２０２）。ユーザは、リモコン３を操作して、映像表示部１１３へ表示されたアカウントの一覧から顔画像を追加登録するアカウントを選択する（ステップＳ２０３）。
【００３５】
次に、制御部１１４は、カメラモジュール１１９にカメラ１１９ａで撮像中の顔画像を送信するよう指示し、カメラモジュール１１９からの顔画像を映像表示部１１３へ表示する（ステップＳ２０４）。図４は、映像表示部１１３に表示される顔画像の一例を示した図である。
【００３６】
ユーザは、映像表示部１１３に表示された顔画像を確認しながら登録する顔画像を決定する。ユーザが、リモコン３を操作して、決定キーを押し下げすると、制御部１１４は、音声処理部１１０へシャッター音を出力するように指示し、スピーカ１１１からシャッター音が出力される（ステップＳ２０５）。
【００３７】
また、制御部１１４は、カメラ１１９ａで撮像中の顔画像を不揮発性メモリ１１９ｃへ一時記憶するように指示する。カメラモジュール１１９は、カメラ１１９ａで撮像中の顔画像を不揮発性メモリ１１９ｃへ一時記憶する（ステップＳ２０６）。次に、カメラモジュール１１９の認識部１１９ｂは、一時記憶した顔画像からユーザの顔を認識する（ステップＳ２０７）。
【００３８】
認識部１１９ｂが顔を認識できない場合（ステップＳ２０７のＮｏ）、カメラモジュール１１９は、顔を認識できない旨を制御部１１４に送信し、制御部１１４はＯＳＤにより、映像表示部１１３に顔を認識できない旨のエラー表示を行う。（ステップＳ２０８）また、不揮発性メモリ１１９ｃに一時記憶された顔画像は削除される。
【００３９】
認識部１１９ｂは、顔を認識できる場合（ステップＳ２０７のＹｅｓ）、顔画像に認識されるのが一人であるかどうかを判定する（ステップＳ２０９）。顔画像に認識されるのが二人以上である場合（ステップＳ２０９のＮｏ）、カメラモジュール１１９は、二人以上の顔が認識されている旨を制御部１１４に送信し、制御部１１４はＯＳＤにより、映像表示部１１３に二人以上の顔が認識されている旨のエラー表示を行う（ステップＳ２１０）また、不揮発性メモリ１１９ｃに一時記憶された顔画像は削除される。
【００４０】
認識部１１９ｂは、顔画像に一人しか認識されない場合（ステップＳ２０９のＹｅｓ）、認識部１１９ｂは、認識した顔の大きさや特徴（例えば、左右の眉の距離や、左右の眉と鼻との距離等）からカメラモジュール１１９とユーザとの距離を算出する。そして、ユーザとの距離が所定の距離（例えば、５ｍ）以下であるかどうかを判定する（ステップＳ２１１）。
【００４１】
ユーザとの距離が所定の距離を超える場合（ステップＳ２１１のＮｏ）、カメラモジュール１１９は、ユーザとの距離が所定の距離を超える旨を制御部１１４に送信し、制御部１１４はＯＳＤにより、映像表示部１１３にユーザとの距離が所定の距離を超える旨のエラー表示を行う（ステップＳ２１２）。また、不揮発性メモリ１１９ｃに一時記憶された顔画像は削除される。
【００４２】
ユーザとの距離が所定の距離以内の場合（ステップＳ２１１のＹｅｓ）、カメラモジュール１１９は、ステップＳ２０３で選択したアカウントに関連付けられたユーザＩＤを送信するように制御部１１４へ指示する。また、カメラモジュール１１９は、不揮発性メモリ１１９ｃに一時記憶している顔画像を制御部１１４へ送信する。
【００４３】
カメラモジュール１１９は、制御部１１４から送信されるユーザＩＤを不揮発性メモリ１１９ｃに一時記憶している顔画像に関連付けて記憶する（ステップＳ２１３）。また、制御部１１４は、カメラモジュール１１９から送信される顔画像にステップ１０３で選択したアカウントに関連づけられたユーザＩＤを付与して不揮発性メモリ１１４ｃへ記憶する（ステップＳ２１４）。
【００４４】
制御部１１４は、ＯＳＤにより、映像表示部１１３へ「動作終了？」及び「Ｙｅｓ」、「Ｎｏ」の欄を表示する（ステップＳ２１５）。ユーザは、リモコン３を操作して、「Ｙｅｓ」又は「Ｎｏ」を選択する。「Ｙｅｓ」が選択されると（ステップＳ２１５のＹｅｓ）、制御部１１４は、顔画像登録の動作を終了する。また、「Ｎｏ」が選択されると（ステップＳ２１５のＮｏ）、制御部１１４は、ステップＳ２０２から動作を継続する。
【００４５】
（顔画像削除時の動作）
図５は、ユーザの顔画像を削除する際の映像表示装置１００の動作を示したフローチャートである。また、図６は、ユーザの顔画像を削除する際に、映像表示部１１３に表示される顔画像の一例を示した図である。以下、図１、図５、図６を参照して、顔画像登録時の動作について説明する。なお、以下の説明では、ユーザはリモコン３を操作するものとして説明するが、操作部１１５を操作してもよい。
【００４６】
ユーザが、リモコン３を操作して、顔画像削除モードを選択すると、映像表示装置１００は、顔画像削除モードに移行する（ステップＳ３０１）。制御部１１４は、ＯＳＤにより、現在登録されているアカウント一覧を映像表示部１１３に表示する（ステップＳ３０２）。ユーザは、リモコン３を操作してアカウント一覧から顔画像を削除したいアカウントを選択する（ステップＳ３０３）。
【００４７】
制御部１１４は、ＯＳＤにより、ユーザが選択したアカウントのユーザＩＤに関連付けて不揮発性メモリに記憶されている登録済みの顔画像を映像表示部１１３に一覧表示する（ステップＳ３０４）。
【００４８】
図６は、映像表示部１１３に表示される登録済みの顔画像の一覧の一例を示した図である。ユーザは、リモコン３を操作して、図６に示された顔画像の一覧から削除したい顔画像を選択する（ステップＳ３０５）。制御部１１４は、ユーザにより選択された顔画像を不揮発性メモリ１１４ｃから削除する（ステップＳ３０６）。
【００４９】
また、カメラモジュール１１９の不揮発性メモリ１１９ｃにも同じ顔画像が記憶されているため、制御部１１４は、この不揮発性メモリ１１９ｃに記憶されている顔画像を削除するように指示し、カメラモジュール１１９は、制御部１１４により削除された顔画像に対応する顔画像をこの不揮発性メモリ１１９ｃから削除する（ステップＳ３０７）。
【００５０】
制御部１１４は、ＯＳＤにより、映像表示部１１３へ「動作終了？」及び「Ｙｅｓ」、「Ｎｏ」の欄を表示する（ステップＳ３０８）。ユーザは、リモコン３のカーソルキー及び決定キーを操作して、「Ｙｅｓ」又は「Ｎｏ」を選択する。「Ｙｅｓ」が選択されると（ステップＳ３０８のＹｅｓ）、制御部１１４は、顔画像削除の動作を終了する。また、「Ｎｏ」が選択されると（ステップＳ３０８のＮｏ）、制御部１１４は、ステップＳ３０２から動作を継続する。
【００５１】
（ユーザ認識時の動作）
図７は、ユーザを認識した際の映像表示装置１００の動作を示したフローチャートである。また、図８は、ユーザの顔を認識した際に映像表示部１１３に表示される顔画像の一例を示した図である。以下、図１、図７、図８を参照して、ユーザ認識時の動作について説明する。なお、以下の説明では、ユーザはリモコン３を操作するものとして説明するが、操作部１１５を操作してもよい。
【００５２】
カメラモジュール１１９は、定期的（例えば、１０秒毎）にカメラ１１９ａで映像表示装置１００前方を撮像する（ステップＳ４０１）。認識部１１９ｂは、撮像画像に対して顔認識を行う（ステップＳ４０２）。撮像画像に顔が認識できない場合（ステップＳ４０２のＮｏ）、カメラモジュール１１９は、ステップＳ４０１の動作に戻る。
【００５３】
撮像画像に顔が認識できた場合（ステップＳ４０２のＹｅｓ）、認識部１１９ｂは、認識した顔を、不揮発性メモリ１１９ｃに記憶されている顔画像を比較し、同一人物の顔画像が不揮発性メモリ１１９ｃに記憶されているどうかを判定する（ステップＳ４０３）
【００５４】
なお、この判定は、認識した顔の顔画像の特徴点と、不揮発性メモリ１１９ｃに記憶されている顔画像の特徴点とを比較することにより行われる。この比較は、不揮発性メモリ１１９ｃに記憶されているすべてアカウントのすべての顔画像について行われる。
【００５５】
特徴点の類似度が所定の閾値を超えている場合には、同一人物として認識する。なお、特徴点の類似度が所定の閾値を超えている顔画像が複数ある場合には、最も類似度が高い顔画像の人物を同一人物と判定する。また、特徴点の類似度が所定の閾値を超えている顔画像がない場合、同一人物の顔画像が記憶されていないと判定する。
【００５６】
同一人物の顔画像が記憶されていない場合（ステップＳ４０３のＮｏ）、カメラモジュール１１９は、ステップＳ４０１の動作に戻る。同一人物の顔画像が記憶されている場合（ステップＳ４０３のＹｅｓ）、カメラモジュール１１９は、今回認識したユーザについて、前回認識した時点から所定の時間（例えば、３０秒）以上経過しているかどうかを判定する（ステップＳ４０４）。この判定は、制御部１１４のタイマ１１４ｅにより計測された時間に基づいて行われる。
【００５７】
所定の時間以上経過していない場合（ステップＳ４０４のＮｏ）、カメラモジュール１１９は、ステップＳ４０１の動作に戻る。所定の時間以上経過している場合（ステップＳ４０４のＹｅｓ）、カメラモジュール１１９は、同一人物であると認識した不揮発性メモリに記憶されている顔画像に関連付けされているユーザＩＤを制御部１１４へ送信する（ステップＳ４０５）。
【００５８】
動作モードの変更を確認する画像（後述する図８に示すモードを切り替えの確認画像）が所定の時間内に続けて映像表示部１１３に表示された場合、ユーザが煩わしさを感じる虞がある。そこで、本実施形態のように、前回動作モードの変更を確認する画像を前回表示してから所定時間が経過していない場合には、新たに動作モードの変更を確認する画像を映像表示部１１３へ表示しないことが好ましい。かかる構成によれば、何度も該確認画面が映像表示部１１３に表示されることによりユーザが煩わしさを感じることを防止できる。
【００５９】
制御部１１４は、カメラモジュール１１９からのユーザＩＤを受信すると、現在の環境設定に関連付けられたユーザＩＤが、カメラモジュール１１９から受信したユーザＩＤと同じであるかを判定する（ステップＳ４０６）。ユーザＩＤが同一である場合（ステップＳ４０６のＹｅｓ）、制御部１１４は、ステップＳ４０１の動作に戻る。
【００６０】
映像表示装置１００の設定（動作モード）が、既に認識したユーザの動作モードに移行している場合は、認識したユーザの動作モードに移行する必要がない。このため、本実施形態のように、映像表示装置１００の動作モードが、既に認識したユーザの動作モードに設定されている場合は、後述する動作モードの変更を確認する画像（後述する図８に示すモードを切り替えの確認画像）を映像表示部１１３へ表示しないようにすることが好ましい。かかる構成によれば、ユーザが煩わしさを感じることを防止できる。
【００６１】
ユーザＩＤが同一でない場合（ステップＳ４０６のＮｏ）、制御部１１４は、ＯＳＤにより、モードを切り替えるかどうかを確認するための画像を、映像表示部１１３に現在表示されている映像に重畳して表示する（ステップＳ４０７）。
【００６２】
また、制御部１１４は、モードを切り替えるかどうかを確認するための画像を表示するとタイマ１１４ｅにより時間の計測を開始する。この時間の計測は、ステップＳ４０３で同一人物の顔画像が記憶されていると判定された各ユーザごとに行われ、計測された時間は、ステップＳ４０４における判定の際に利用される。
【００６３】
図８は、ユーザの顔を認識した際に映像表示部１１３に表示される画像の一例を示した図である。モードを切り替えの確認画像は、認識したユーザの人数に応じて変わる。例えば、ステップＳ４０２で認識されたユーザが一人の場合、図８（ａ）に示す枠「Ｘ」が映像に重畳して映像表示部１１３に表示される。また、ステップＳ４０２で認識されたユーザが複数人である場合、図８（ｂ）に示す枠「Ｙ」が映像に重畳して映像表示部１１３に表示される。
【００６４】
図８に示すように、枠「Ｘ」、枠「Ｙ」内には、認識されたユーザのアイコン「Ａ」〜「Ｄ」及び登録名「ＵｓｅｒＡ」、「ＵｓｅｒＢ」、「ＵｓｅｒＣ」、「ＵｓｅｒＤ」が表示される。各ユーザのアイコンには色付けされており、例えば、図８（ｂ）に示す例では、アイコン「Ａ」〜「Ｄ」は、夫々、「赤」、「緑」、「黄」、「青」に色付けされて表示されている。また、ユーザが自身のアカウントにパスワードを設定している場合は、パスワードが設定されていることを示すアイコン「Ｋ」がユーザ名の右に表示される。
【００６５】
ユーザは、リモコン３を操作して、各アカウントの特別モードに移行するかどうかを決定する。具体的には、ユーザは、移行したいアカウントに対応するカラーキーを押し下げする。例えば、「ＵｓｅｒＡ」へのアカウントの特別モードへ移行する場合、リモコン３の「赤」のカラーキーを押し下げする（ステップＳ４０８）。
【００６６】
カラーキーが押し下げされると、制御部１１４は、押し下げられたカラーキーの色に対応づけられたユーザＩＤの環境設定を不揮発性メモリ１１４ｃから読み出す（ステップＳ４０９）。制御部１１４は、読み出した環境設定にパスワードが設定されているかどうかを確認する（ステップＳ４１０）。
【００６７】
なお、この実施形態では、各アカウントの特別モードへの移行をリモコン３のカラーキーに割り付けているが、他の操作キーに割り付けるようにしてもよい。その際は、各アカウントに割り付けられた操作キーがわかるように、映像表示部１１３へ各アカウントの割り付け先を表示することが好ましい。
【００６８】
パスワードが設定されている場合（ステップＳ４１０のＹｅｓ）、制御部１１４は、ＯＳＤにより、パスワードの入力を促す画像（例えば、「パスワードを入力してください」）を映像表示部１１３に表示する（ステップＳ４１１）。ユーザがリモコン３を操作してパスワードを入力すると、制御部１１４は、入力されたパスワードを、不揮発性メモリに記憶されているパスワードと照合し、一致するかどうかを判定する（ステップＳ４１２）。
【００６９】
ユーザにより入力されたパスワードが一致しない場合（ステップＳ４１２のＮｏ）、制御部１１４は、ＯＳＤにより、映像表示部１１３にエラー（例えば、「パスワードが違います」）を表示し（ステップＳ４１３）、ステップＳ４０１の動作に戻る。なお、パスワードを３回間違えた場合は、それ以上のパスワードの入力を禁止するようにしてもよい。
【００７０】
ユーザにより入力されたパスワードが一致する場合（ステップＳ４１２のＹｅｓ）、制御部１１４は、映像表示装置１００の設定を認識されたＩＤに関連付けられた環境設定に変更する（ステップＳ４１４）。また、ステップＳ４１０でパスワードが設定されていない場合（ステップＳ４１０のＮｏ）も、制御部１１４は、映像表示装置１００の設定を認識されたＩＤに関連付けられた環境設定に変更する（ステップＳ４１４）。
【００７１】
なお、上記実施形態では、図８に示す動作モードの変更を確認する画像を映像表示部１１３へ表示した後に映像表示装置１００の設定を認識されたＩＤに関連付けられた環境設定（動作モード）に変更しているが、映像表示装置１００の設定を認識されたＩＤに関連付けられた環境設定（動作モード）に変更した後に、動作モードが変更されたことを示す画像を映像表示部１１３へ表示するように構成してもよい。
【００７２】
以上のように、実施形態に係る映像表示装置１００では、ユーザは、リモコン３もしくは操作部１１５を操作することにより、アカウントの追加及び削除を行うことができる。また、同一アカウントに複数の顔画像（例えば、１０枚）を登録することができるので、メガネをかけている時の顔画像とかけていない時の顔画像や、照明が明るい時の顔画像と照明が暗い時（例えば、シネマを視聴する時）の顔画像等を登録することにより、顔認識時に、わざわざメガネを外したり、かけたりする必要や、照明の明るさを変更する必要がなく、ユーザの利便性が向上する。
【００７３】
また、ユーザの顔画像を登録する際に、撮像されているユーザの顔画像を映像表示部１１３に表示するので、ユーザは、どのような状態の顔画像が登録されるのかを確認することができる。また、顔を撮像する際に、シャッター音を出力するので、ユーザは、撮像が行われたことを容易に知ることができる。
【００７４】
さらに、顔画像を登録する際に、１以上の人物が映っている場合には、顔画像の登録を行わないので、間違った人物が登録されてしまうことを防止することができる。さらに、撮像画像からユーザの顔を認識できない場合や、認識できた場合でも距離が所定値以下でない場合には、顔画像の登録を行わないので、ユーザの顔を認識する際の認識率が向上する。
【００７５】
さらに、撮像状況に応じてエラーを映像表示部１１３に表示するので、ユーザは、顔画像を登録できない理由を知ることができ、容易にエラーを解決することができる。また、ユーザは、カラーキーを押し下げするだけの簡易な操作で所望の環境設定（ユーザモード）に変更でき、利便性が高い。また、各ユーザモードには、パスワードを設定できるので、各ユーザのセキュリティ性が高まる。
【００７６】
（その他の実施形態）
なお、本発明は上記実施形態そのままに限定されるものではなく、実施段階ではその要旨を逸脱しない範囲で構成要素を変形して具体化できる。例えば、図７で説明した動作では、ユーザがカラーキーを押し下げることで（ステップＳ４０８）環境設定を変更するようにしているが、認識されたユーザが一人で、かつ、パスワードを設定していない場合には、ユーザがカラーキーを押し下げすることなく、環境設定を変更するように構成してもよい。
【００７７】
また、上記実施形態では、映像表示装置１００にカメラモジュール１１９が内蔵されているものとして説明したが、カメラモジュール１１９を映像表示装置１００に内蔵せずに、外付けとしてもよい。この場合、カメラモジュール１１９は、映像表示装置１００の端子１１７に接続して使用する。
【符号の説明】
【００７８】
１，２…アンテナ、３…リモートコントローラ（リモコン）、１００…映像表示装置、１０１〜１０３…チューナ、１０４…ＰＳＫ復調器、１０５…ＯＦＤＭ復調器、１０６…アナログ復調器、１０７…信号処理部、１０８…グラフィック処理部、１０９…ＯＳＤ信号生成部、１１０…音声処理部、１１１…スピーカ、１１２…映像処理部、１１３…映像表示部、１１４…制御部（記憶手段、表示制御手段、設定手段、登録手段、削除手段）、１１５…操作部（受付手段）、１１６…受光部（受付手段）、１１７…端子、１１８…通信Ｉ／Ｆ、１１９…カメラモジュール（撮像手段、判定手段、測定手段）。
【図１】
0005389230.tif 000002
【図２】
0005389230.tif 000003
【図３】
0005389230.tif 000004
【図４】
0005389230.tif 000005
【図５】
0005389230.tif 000006
【図６】
0005389230.tif 000007
【図７】
0005389230.tif 000008
【図８】
0005389230.tif 000009